(57)【要約】      （修正有）【課題】把持部を手で握って動かしたり振り回したりしても、人の手から離れてしまわないようにしっかりと握ることができる発光具を提供する。【解決手段】一方の側に発光部３が設けられており、他方の側に把持部５が設けられている発光具１において、把持部５の少なくとも一部が、一定の方向に曲がっている。把持部５は、発光部３から離れるにしたがって、曲がりの度合いが次第に増える。【選択図】図１
2018081838.tif 000002
【特許請求の範囲】
【請求項１】
一方の側に発光部が設けられており、他方の側に把持部が設けられている発光具において、
前記把持部の少なくとも一部が、一定の方向に曲がっていることを特徴とする発光具。
【請求項２】
請求項１に記載の発光具において、
前記把持部は、前記発光部から離れるにしたがって、曲がりの度合いが次第に増えていることを特徴とする発光具。
【請求項３】
請求項２に記載の発光具において、
前記把持部は、前記発光部側の部位である発光部側部位と、この発光部側部位に隣接している中間部位と、この中間部位に隣接している基端側部位とを備えて構成されており、
側面視すると、前記発光部は、所定の幅を備えた矩形状に形成されており、前記発光部側部位は、所定の幅を備えた矩形状に形成されて前記発光部の長手方向の一方の端から延出しており、前記中間部位と前記基端側部位とは、所定の幅を備えた円弧状に形成されており、前記発光部側部位の一方の端から延出していることを特徴とする発光具。
【請求項４】
請求項１〜請求項３のいずれか１項に記載の発光具において、
前記発光部側部位と前記中間部位との境界部であって横方向の両端部には、凹部が形成されていることを特徴とする発光具。
【発明の詳細な説明】
【技術分野】
【０００１】
本発明は、発光部と把持部とを備えた発光具に係り、特に、コンサート等で使用されるものに関する。
【背景技術】
【０００２】
従来、発光部と把持部とを備えた円柱状のペンライトが知られている（たとえば、特許文献１参照）。
【先行技術文献】
【特許文献】
【０００３】
【特許文献１】特開２０１４−２１２０２１号公報
【発明の概要】
【発明が解決しようとする課題】
【０００４】
ところで、ペンライト（発光具）をコンサート等で使用する場合、観客が把持部を手で握ってペンライトを動かしたり振り回したりするので、観客の手から離れてしまわないようにしっかりと握れるようにすることが重要である。
【０００５】
本発明は、上記問題点に鑑みてなされたものであり、人の手から離れてしまわないようにしっかりと握ることができる発光具を提供することを目的とする。
【課題を解決するための手段】
【０００６】
請求項１に記載の発明は、一方の側に発光部が設けられており、他方の側に把持部が設けられている発光具において、前記把持部の少なくとも一部が、一定の方向に曲がっている発光具である。
【０００７】
請求項２に記載の発明は、請求項１に記載の発光具において、前記把持部は、前記発光部から離れるにしたがって、曲がりの度合いが次第に増えている発光具である。
【０００８】
請求項３に記載の発明は、請求項２に記載の発光具において、前記把持部は、前記発光部側の部位である発光部側部位と、この発光部側部位に隣接している中間部位と、この中間部位に隣接している基端側部位とを備えて構成されており、側面視すると、前記発光部は、所定の幅を備えた矩形状に形成されており、前記発光部側部位は、所定の幅を備えた矩形状に形成されて前記発光部の長手方向の一方の端から延出しており、前記中間部位と前記基端側部位とは、所定の幅を備えた円弧状に形成されており、前記発光部側部位の一方の端から延出している発光具である。
【０００９】
請求項４に記載の発明は、請求項１〜請求項３のいずれか１項に記載の発光具において、前記発光部側部位と前記中間部位との境界部であって横方向の両端部には、凹部が形成されている発光具である。
【発明の効果】
【００１０】
本発明によれば、人の手から離れてしまわないようにしっかりと握ることができる発光具を提供することができるという効果を奏する。
【図面の簡単な説明】
【００１１】
【図１】本発明の実施形態に係る発光具の斜視図である。
【図２】本発明の実施形態に係る発光具の側面図である。
【図３】本発明の実施形態に係る発光具の背面図であって図２におけるＩＩＩ矢視図である。
【図４】本発明の実施形態に係る発光具の正面図であって図２におけるＩＶ矢視図である。
【図５】本発明の実施形態に係る発光具の把持部を概略的に示す図であって、（ｘ）は、図２に対応した図であって、（ｙ）は図３に対応した図であって、（ａ）は（ｘ）におけるＶＡ−ＶＡ断面を示しており、（ｂ）は（ｘ）におけるＶＢ−ＶＢ断面を示しており、（ｃ）は（ｘ）におけるＶＣ−ＶＣ断面を示しており、（ｄ）は（ｘ）におけるＶＤ−ＶＤ断面を示しており、（ｅ）は（ｘ）におけるＶＥ−ＶＥ断面を示しており、（ｆ）は（ｘ）におけるＶＦ−ＶＦ断面を示しており、（ｇ）は（ｘ）におけるＶＧ−ＶＧ断面を示している。
【発明を実施するための形態】
【００１２】
本発明の実施形態に係る発光具１は、たとえば、コンサート用のライトとして観客（使用者）が手に持って使用するものであり、図１〜図５で示すように、発光部３と把持部５とを備えて構成されている。
【００１３】
ここで、説明の便宜のために、発光具１における所定の一方向を長手方向とし、この長手方向に対して直交する所定の一方向を前後方向とし、前後方向と長手方向とに対して直交する方向を横方向とする。
【００１４】
発光具１についてさらに説明すると、発光具１は、筐体７と、ＬＥＤ等で構成されている発光体９と、電池等で構成されている電源１１と、ＣＰＵ１３とメモリ１５とを備えて構成されている制御部１７と、押しボタン等で構成されているスイッチ１９とを備えて構成されている（図２、図４等参照）。
【００１５】
電源１１は、制御部１７や発光体９に電力を供給するようになっている。そして、発光具１を使用する者が、スイッチ１９を適宜操作することで、制御部１７の制御の下、発光体９が適宜の発光パターンで発光するようになっている。
【００１６】
また、筐体７は、グリップ（把持部）５と発光部カバー（発光部覆い）２１とを備えて構成されている。
【００１７】
把持部５は黒色等の不透明な合成樹脂で、基端側が一方向に曲がり返すことなく曲がっている有底円筒状（円筒枡状；円筒の一方の端の円形の開口部を円板で塞いだ形状）に形成されており、円筒の端部（開口している側の端部）の内周にはメスネジ部（図示せず）が形成されている。
【００１８】
発光部カバー２１は、透明もしくは乳白色等の半透明の合成樹脂で有底円筒状に形成されており、円筒の端部（開口している側の端部）の外周にはオスネジ部（図示せず）が形成されている。
【００１９】
そして、発光部カバー２１のオスネジ部が把持部５のメスネジ部に螺合することで、把持部５と発光部カバー２１とが一体化し、筐体７が形成されている。筐体７の内部には、円柱状の空間が形成されている。
【００２０】
筐体７の内部には、発光体９と電源１１と制御部１７とが設けられている。発光体９と電源１１と制御部１７とは、把持部５に一体的に設けられている。
【００２１】
ただし、電源１１と制御部１７とが把持部５内に設けられているのに対して、発光体９は、把持部５の開口部から発光部カバー２１側に突出している。また、スイッチ１９は、把持部５の発光部カバー２１側の部位に設けられている。
【００２２】
そして、発光体９で発した光が、発光部カバー２１を通って、筐体７の外部に出てくるようになっている。すなわち、発光部３においては、発光体９が発光した色で発光部カバー２１が発光するようになっている。
【００２３】
発光具１（筐体７）は、柱状（たとえば円柱状）に形成されており、長手方向の一方の側（先端側）に発光部３が設けられており、長手方向の他方の側（基端側）に把持部５が設けられている．
また、発光具１では、図２や図５（ｘ）で示すように、把持部５の少なくとも一部が、長手方向に対して一定の方向（長手方向に対して直交する方向である前後方向のうちの後方）に曲がっている。なお、図５では説明の便宜のために、スイッチ１９等の表示を省略している。
【００２４】
把持部５は、発光部３から離れるにしたがって（長手方向の基端側に向かうにしたがって）、曲がりの度合い次第に増えている。
【００２５】
図５（ｘ）を参照して詳しく説明する。図５（ｘ）の直線ＣＸ１は、発光部３の中心軸を示しており、図５（ｘ）の曲線（たとえば円弧状の曲線）ＣＸ２は、把持部５の中心軸を示している。ここで、曲線ＣＸ２上の任意の位置における接線をＣＸ３とすると、接線ＣＸ３と直線ＣＸ１との交差角度αが適宜変化する。交差角度αの値は、図５（ｘ）の下方（発光部３から離れる方向；長手方向基端側）に向かうにしたがって、次第に大きくなっている。なお、交差角度αの値は、たとえば、最大２０°程度になっている。
【００２６】
さらに説明する。発光具１を側面視すると、図５（ｘ）で示すように、把持部５の幅方向（前後方向前側）の凸状の端面における円弧２３の半径の値が、把持部５の幅方向（前後方向後側）の凹状の端面における円弧２５の半径よりも大きくなっている。
【００２７】
なお、曲線ＣＸ２が直線ＣＸ１と一定の交差角度で交わる直線になっていてもよい。この場合、端面の円弧２３や端面の円弧２５も直線になることが望ましく、さらに、端面の直線（円弧２３に対応する直線）と直線ＣＸ１との交差角度（上記交差角度αに対応する角度）の値が、端面の直線（円弧２５に対応する直線）と直線ＣＸ１との交差角度（上記交差角度αに対応する角度）の値よりも小さくなっていることが望ましい。
【００２８】
また、把持部５は、図５（ｘ）、（ｙ）で示すように、発光部３側の部位である発光部側部位２７（参照符号ＡＣで示す部位）と、発光部側部位２７に隣接している中間部位２９（参照符号ＣＥで示す部位）と、中間部位２９に隣接している基端側部位３１（参照符号ＥＧ、ＧＯで示す部位）とを備えて構成されている。
【００２９】
側面視すると、発光部３は、所定（一定）の幅（図５（ｘ）の左右方向の寸法）備えた細長い矩形状に形成されている（図２も併せて参照）。把持部５の発光部側部位２７も、所定（一定）の幅（発光部３の幅よりも僅かに広い幅）を備えた矩形状に形成されている。
【００３０】
発光部側部位２７は、発光部３の長手方向の一方の端（基端）から、発光部３の長手方向に直線状に延出している。なお、発光部３の中心軸ＣＸ１と発光部側部位２７の中心軸とはお互いに一致している。
【００３１】
中間部位２９と基端側部位３１とは、所定の幅を備えた円弧状に形成されており、発光部側部位２７の一方の端（基端）から、発光部側部位２７とほぼ同方向（長手方向の基端方向）に直線に近い円弧状になって延出している。中間部位２９と基端側部位３１との円弧の周方向が中間部位２９と基端側部位３１との延出方向になっている。また、中間部位２９と基端側部位３１の中心軸ＣＸ２は、発光部３の中心軸ＣＸ１から連続している。
【００３２】
また、側面視すると、図５（ｘ）で示すように、中間部位２９と基端側部位３１との前後方向の寸法は、長手方向の基端側（図５（ｘ）の下側）で向うにしたがって次第に大きくなっている。
【００３３】
把持部５の形状について、図５を参照してさらに説明する。
【００３４】
発光部側部位２７の長手方向の寸法ＡＣの値と、中間部位２９の長手方向の寸法ＣＥの値と、基端側部位３１の長手方向の寸法ＥＧの値とは、お互いが概ね等しくなっている。すなわち、発光部側部位２７、中間部位２９、基端側部位３１のいずれか１つの部位における長手方向の寸法の値を基準値（１００％）にしたときに、他の２つの部位における長手方向の寸法の値が、上記基準値に対して８０％〜１２０％（より好ましくは、９０％〜１１０％）になっている。
【００３５】
たとえば、発光部側部位２７の長手方向の寸法ＡＣの値を１００％としたときに、中間部位２９の長手方向の寸法ＣＥの値が９５％になっており、基端側部位３１の長手方向の寸法ＥＧの値が９０％になっている。
【００３６】
なお、上記説明では、長手方向を、図５の（ｘ）や（ｙ）における上下方向（発光部３や発光部側部位２７の中心軸ＣＸ１の延伸方向）としているが、中間部位２９と基端側部位３１とにおける長手方向を、図５の（ｘ）に示す中間部位２９や基端側部位３１の中心軸ＣＸ２の延伸方向としてもよい。
【００３７】
把持部５の断面（長手方向に対して直交する平面による断面）は、円形もしくは円形に近い楕円状（楕円形状）になっている（図５の（ａ）〜（ｇ）参照）。
【００３８】
さらに説明すると、把持部５の発光部側部位２７の断面形状は、発光部側部位２７の発光部３側の端では、図５（ａ）で示すように円形になっている。すなわち、図５（ｘ）におけるＶＡ−ＶＡ断面での前後方向の寸法（外径）ａｘの値と横方向の寸法（外径）ａｙの値とがお互いに等しくなっている。
【００３９】
また、発光部側部位２７の断面形状は、発光部側部位２７の発光部３側の端から中間部位２９側に向かうにしたがって偏平率が次第に大きくなっている。
【００４０】
すなわち、発光部側部位２７の長手方向中間部でのＶＢ−ＶＢ断面は、図５（ｂ）で示す寸法ｂｘが図５（ａ）で示す寸法ａｘと等しく、図５（ｂ）で示す寸法ｂｙが図５（ａ）で示す寸法ａｙよりも小さい楕円状になっている。
【００４１】
また、発光部側部位２７の中間部位２９側の端（中間部位２９の発光部側部位２７側の端）でのＶＣ−ＶＣ断面は、図５（ｃ）で示す寸法ｃｘが図５（ａ）で示す寸法ａｘと等しく、図５（ｃ）で示す寸法ｃｙが図５（ｂ）で示す寸法ｂｙよりも小さい楕円状になっている。なお、すでに理解されるように、発光部側部位２７の断面における前後方向の外径の値は、発光部側部位２７では一定になっている。
【００４２】
また、中間部位２９の断面形状は、中間部位２９の発光部側部位２７側の端から基端側部位３１に向かうにしたがって偏平率が次第に大きくなっている。
【００４３】
すなわち、中間部位２９の長手方向中間部でのＶＤ−ＶＤ断面は、図５（ｄ）で示す寸法ｄｘが図５（ｃ）で示す寸法ｃｘと等しく、図５（ｄ）で示す寸法ｄｙが図５（ｃ）で示す寸法ｃｙよりも大きい楕円状になっている。
【００４４】
また、中間部位２９の基端側部位３１側の端（基端側部位３１の中間部位２９側の端）でのＶＥ−ＶＥ断面は、図５（ｅ）で示す寸法ｅｘが図５（ｃ）で示す寸法ｃｘと等しく、図５（ｅ）で示す寸法ｅｙが図５（ｄ）で示す寸法ｄｙよりも大きい楕円状になっている。なお、すでに理解されるように、中間部位２９の断面における横方向の外径の値は、中間部位２９では一定になっている。
【００４５】
また、基端側部位３１の断面形状は、基端側部位３１の中間部位２９側の端から筐体７の基端に向かうにしたがって、楕円の外径が次第に大きくなっている。
【００４６】
すなわち、基端側部位３１の長手方向中間部でのＶＦ−ＶＦ断面は、図５（ｆ）で示す寸法ｆｘが図５（ｅ）で示す寸法ｅｘよりも大きく、図５（ｆ）で示す寸法ｆｙが図５（ｅ）で示す寸法ｅｙよりも大きい楕円状になっている。
【００４７】
また、基端側部位３１の長手方向の基端部でのＶＧ−ＶＧ断面は、図５（ｇ）で示す寸法ｇｘが図５（ｆ）で示す寸法ｆｘよりも大きく、図５（ｇ）で示す寸法ｇｙが図５（ｆ）で示す寸法ｆｙよりも大きい楕円状になっている。
【００４８】
なお、上記説明では、側面視において、発光部側部位２７（寸法ＡＣの部位）が直線状に延出しており、中間部位２９（寸法ＣＥの部位）と基端側部位３１（寸法ＥＧ、ＥＯの部位）とが円弧状に延出しているが、発光部側部位２７と中間部位２９と基端側部位３１とが円弧状に延出していてもよい。
【００４９】
また、発光部側部位２７と基端側部位３１とが直線状に延出していて中間部位２９が円弧状に延出していてもよい。この場合、基端側部位３１の中心軸は、発光部３の中心軸ＣＸ１に対して斜めに延伸している。
【００５０】
また、発光部側部位２７と中間部位２９と基端側部位３１とが、直線状に延出していてもよい。この場合、中間部位２９と基端側部位３１の中心軸は、発光部３の中心軸ＣＸ１に対し対して斜めに延伸しているとともに、基端側部位３１の中心軸と発光部３の中心軸ＣＸ１の中心軸との交差角度の値が、中間部位２９の中心軸と発光部３の中心軸ＣＸ１との交差角度の値よりも大きくなっている。
【００５１】
さらに、発光部側部位２７の中心軸が、中間部位２９や基端側部位３１の中心軸の交差角度よりも小さい交差角度で、発光部３の中心軸ＣＸ１に対して斜めに延伸していてもよい。
【００５２】
また、発光具１の把持部５には、凹部３３が形成されている。凹部３３は、発光部側部位２７と中間部位２９との境界部であって長手方向と把持部５が曲がっている方向とに対して直交する方向である横方向の両端部に形成されている。凹部３３には、把持部５を握った者の親指の一部と人差し指の一部とが係合するようになっている。
【００５３】
さらに説明すると、凹部３３は、図２等で示すように、側面視において楕円状に形成されており、凹部３３の表面（底面）は、回転楕円体の表面の一部で形成されている。楕円状の凹部３３の長軸は、長手方向に延びており、凹部３３の深さは、発光部側部位２７や中間部位２９の外径に対して、３％〜１０％程度のわずかなものになっている。楕円状の凹部３３の長軸の寸法は、発光部側部位２７や中間部位２９の外径とほぼ等しくなっており、楕円状の凹部３３の短軸の寸法は、発光部側部位２７や中間部位２９の外径の１／３程度になっている。スイッチ１９は、発光部側部位２７の前後方向前側の面と後側の面とに設けられている。
【００５４】
次に、発光具１の使用について説明する。
【００５５】
発光具１を使用するときには、図１で示すように、使用者が把持部５を手（たとえば左手）で握る。そして、握った手もしくは反対の手（たとえば右手）で、スイッチ１９を操作し、発光具１の電源をオン・オフしたり、発光部３での発光パターンを変更する。
【００５６】
さらに、コンサートで演奏される楽曲に合わせて、発光具を適宜動かし振り回す。
【００５７】
発光具１によれば、把持部５が後方に曲がっているので、図１で示すように、把持部５の前側に親指と人指し指との境界部３９が位置し、人差し指の先端部と中指と薬指と小指とが把持部５の後側に回り込むようにして、把持部５を手で握ると、薬指と小指（特に小指）が、把持部５の基端部で後側に突出している部位３５に引っかかり、発光具１が手から離れてしまわないようにしっかりと握ることができる。
【００５８】
また、上述したように把持部５を握ったときに、手の腹側の母指球の部位（親指の付け根と手首との間で母指球筋肉が盛り上がっている部位）４１が、把持部５の基端部で前側に凹んでいる部位３７に収まり、把持部５を握りやすくなる。
【００５９】
また、発光具１によれば、把持部５の曲がりの度合いが、基端側向かうにしたがって次第に増えているので、上述したように把持部５を握ったときに、薬指と小指とが、把持部５の基端部で後側に突出している部位３５に一層引っかかりやすくなっており、発光具１が手から離れてしまわないように一層しっかりと握ることができる。
【００６０】
また、発光具１によれば、把持部５が発光部側部位２７と中間部位２９と基端側部位３１とを備えて構成されており、発光部側部位２７が直線的に延びており、中間部位２９と基端側部位３１とが円弧状に曲がっているので、発光部側部位２７への押しボタン等のスイッチ１９の設置がしやすくなる。
【００６１】
また、発光具１によれば、横方向の両端部に凹部３３が形成されているので、把持部５を握ったときに、親指の腹と人差し指の親指側の側面側であって近位指節間関節（第二関節）の部位およびこの近傍の部位が、凹部３３に入り込んで凹部３３に当接するので、把持部５を一層握りやすくなる。
【符号の説明】
【００６２】
１  発光具
３  発光部
５  把持部
２７  発光部側部位
２９  中間部位
３１  基端側部位
３３  凹部
【図１】
2018081838.tif 000003
【図２】
2018081838.tif 000004
【図３】
2018081838.tif 000005
【図４】
2018081838.tif 000006
【図５】
2018081838.tif 000007